(57)【要約】【課題】フィルムの貼り合せによりなる容器が重くなってもその容器の把手に掛けた手に把手孔の辺部が強く食い込まないようにするとともに、把手孔の辺部からの裂けを防止し、内容量が大きくなっても把手に掛けた手に痛みを生じさせることなくパウチタイプの容器の取り扱いや内容物の注出が安全に行なえるようにする。【解決手段】容器１のヒートシール部４に、二つの切り込み端７の間につなぎ部９を配した一本の切り込み８を入れて、切り込み８とつなぎ部９とで囲まれて手先を差し入れたときに把手孔１０が開口する把手孔予定部６を設け、把手孔予定部６の周囲に未シール部１２を設けた。【選択図】      図１
2004359258.tif 000002
【特許請求の範囲】
【請求項１】
フィルムの貼り合せにより形成された容器のヒートシール部に、手先が差し入れ可能な把手孔を開口し、該把手孔の周囲に未シール部を設けたことを特徴とする容器の把手。
【請求項２】
上記把手孔の上辺部に沿って、この把手孔の上辺部の長さ以上の切り込みを設けた請求項１に記載の容器の把手。
【請求項３】
フィルムの貼り合せにより形成された容器のヒートシール部に、手先が差し入れ可能な把手孔を開口し、該把手孔の上辺部に沿って、この把手孔の上辺部の長さ以上の切り込みを設けたことを特徴とする容器の把手。
【請求項４】
フィルムの貼り合せにより形成された容器のヒートシール部に、二つの切り込み端の間につなぎ部を配してその切り込み端が相互に離れた一本の切り込みを入れて、該切り込みと前記つなぎ部とで囲まれて手先を差し入れたときに把手孔が開口する把手孔予定部が設けられ、前記把手孔予定部の周囲に未シール部を設けたことを特徴とする容器の把手。
【請求項５】
上記つなぎ部は、把手孔における手掛け側の位置または手掛け側と対向する位置に設けられている請求項４に記載の容器の把手。
【請求項６】
フィルムの貼り合せにより形成された容器のヒートシール部に、二つの切り込み端の間につなぎ部を配してその切り込み端が相互に離れた一本の切り込みを入れて、該切り込みと前記つなぎ部とで囲まれて手先を差し入れたときに把手孔が開口する把手孔予定部が設けられ、前記把手孔の上辺部となる前記切り込みの上辺部に沿って、該切り込みの上辺部の長さ以上の第二の切り込みを設けたことを特徴とする容器の把手。
【請求項７】
上記つなぎ部は、把手孔における手掛け側の位置または手掛け側と対向する位置に設けられている請求項６に記載の容器の把手。
【請求項８】
上記把手孔予定部の周囲に未シール部を設け、上記第二の切り込みが前記未シール部に位置している請求項６または７に記載の容器の把手。
【発明の詳細な説明】
【０００１】
【発明の属する技術分野】
本発明は、フィルムの貼り合せにより形成されている容器のヒートシール部に設けた把手に関するものである。
【０００２】
【従来の技術】
従来から液体、顆粒体、粉体などを収容する容器としてはブロー成形されたボトルタイプの容器や合成樹脂製のフィルムを重ね合わせて所要部分をヒートシールしてなるパウチタイプの容器が採用されている。そして、近年においては空の容器をごみとして廃棄する場合のごみ減容化が行ない易いように、重ね合わせたフィルムの所要部分をヒートシールしたパウチタイプの容器が多く使用されるようになり、片手などで取り扱える範囲であれば、５００ｍｌを超えるような内容量の容器にも前記パウチタイプのものが製造されるようになってきている。
ところで内容量の大きいボトルタイプの容器の場合には把手を備えていて、多少重くともその容器の取り扱いが適正に行なえるようにしている。このことから、上述のようなパウチタイプの内容量が大きい容器にも把手を設けるようにすれば、容器全体の取り扱いや内容物の注出操作が行ない易くなり、ヒートシール部を拡張してその拡張部分に、手先を通すことのできる把手孔を開口して把手を設けた容器がある。そして、把手孔の未シール状態の辺部に切り込みを入れて多くのスダレ状片を形成し、これによって把手に掛けた手に把手孔の辺部が当たる際の痛みを和らげることを目的とする工夫が提案されている（特許文献１参照）。
【０００３】
【特許文献１】
実開平０３−０６９６４２号公報（第１頁、第１図、第２図）
【０００４】
しかしながら、上記把手孔の辺部に切り込みを入れて多くのスダレ状片を設けたものにあっても、内容量を１．５リットルや２リットルとして重くなる容器では、把手孔に手先を入れて持ち上げたときにスダレ片それぞれがほぼ完全につぶれてしまい、剛性の高いヒートシール部が手先に直接食い込み、痛みを生じるという問題がある。さらに、容器を持ち上げたときの重力によって把手孔の辺部にはその辺部に沿って張力が加わって前記切り込みを裂く方向に作用し易くなり、容器を持ち上げたときに切り込みから裂けが発生して、把手が切れるという可能性もあった。
そこで本発明は上記課題を上記事情に鑑み、フィルムの貼り合せによりなる容器が重くなってもその容器の把手に掛けた手に把手孔の辺部が強く食い込まないようにするとともに、把手孔の辺部からの裂けを防止することを課題とし、内容量が大きくなっても把手に掛けた手に痛みを生じさせることなくパウチタイプの容器の取り扱いや内容物の注出が安全に行なえるようにすることを課題とする。
【０００５】
【課題を解決するための手段】
本発明は上記課題を考慮してなされたもので、フィルムの貼り合せにより形成された容器のヒートシール部に、手先が差し入れ可能な把手孔を開口し、該把手孔の周囲に未シール部を設けたことを特徴とする容器の把手を提供して、上記課題を解消するものである。
本発明においては、上記把手孔の上辺部に沿って、この把手孔の上辺部の長さ以上の切り込みを設けたものとすることが良好である。
【０００６】
また、もう一つの発明は、フィルムの貼り合せにより形成された容器のヒートシール部に、手先が差し入れ可能な把手孔を開口し、該把手孔の上辺部に沿って、この把手孔の上辺部の長さ以上の切り込みを設けたことを特徴とする容器の把手であり、この容器の把手を提供して上記課題を解消するものである。
【０００７】
さらにもう一つの発明は、フィルムの貼り合せにより形成された容器のヒートシール部に、二つの切り込み端の間につなぎ部を配してその切り込み端が相互に離れた一本の切り込みを入れて、該切り込みと前記つなぎ部とで囲まれて手先を差し入れたときに把手孔が開口する把手孔予定部が設けられ、前記把手孔予定部の周囲に未シール部を設けたことを特徴とする容器の把手であり、この容器の把手を提供して上記課題を解消するものである。
この発明において、上記つなぎ部は、把手孔における手掛け側の位置または手掛け側と対向する位置に設けられているものとすることができるものである。
【０００８】
さらにもう一つの発明は、フィルムの貼り合せにより形成された容器のヒートシール部に、二つの切り込み端の間につなぎ部を配してその切り込み端が相互に離れた一本の切り込みを入れて、該切り込みと前記つなぎ部とで囲まれて手先を差し入れたときに把手孔が開口する把手孔予定部が設けられ、前記把手孔の上辺部となる前記切り込みの上辺部に沿って、該切り込みの上辺部の長さ以上の第二の切り込みを設けたことを特徴とする容器の把手であり、この容器の把手を提供して上記課題を解消するものである。
この発明において、上記つなぎ部は、把手孔における手掛け側の位置または手掛け側と対向する位置に設けられているものとすることができるものである。さらに、上記把手孔予定部の周囲に未シール部を設け、上記第二の切り込みが前記未シール部に位置していることが良好である。
【０００９】
【発明の実施の形態】
つぎに本発明を図１から図７に示す実施の形態に基づいて詳細に説明する。
図中１は重ね合わせた合成樹脂フィルムの所要部分をヒートシールして得られた容器であり、容器底として折り入れられて側面用の合成樹脂フィルムとともにヒートシールされた底面用の合成樹脂フィルムが展開されることで、容器底が広がって自立できるスタンディングパウチタイプの容器である。そして、この容器１の上部にはキャップにて閉じられた注出口栓２が位置しており、液体、粉体、半流動体などの収容物をこの注出口栓２から注出できるものである。
【００１０】
上記容器１においては容器の一方の側辺ヒートシール部３の上部側が側方に延設されていて、側辺ヒートシール部の一般部分より面積を広くして拡張したヒートシール部４を備えている。そして拡張された前記ヒートシール部４には、把手５が、閉じた把手孔予定部６の形態として設けられていて、容器１を持ち運んだり収容物を注出口栓２から注出するなどの取り扱い時に、手を掛けることのできる把手５を前記把手孔予定部６から得られるようにしている。
図に示されているように、把手孔予定部６は、拡張されたヒートシール部４に、二つの切り込み端７がつながらずに相互に離れた状態とした一本の切り込み８を入れて、この切り込み８と二つの切り込み端７の間に配されたつなぎ部９とで囲むことにより形成されている。
そして、把手孔予定部６に手先を差し入れるときに、上述したようにこの把手孔予定部６が押され、前記つなぎ部９の部分を中心として回動して、大人の手の人差し指から小指までを揃えた状態で差し入れることができる縦長状の把手孔１０が開口するように設けられていて、把手孔１０に通した手先を掛けるようにして把手５を持つことにより、容器１を持ち上げることができる。
【００１１】
上記把手５におけるつなぎ部９は、容器１の収容部側とは反対側である手掛け側に位置している。そして、把手孔１０での手掛け側に位置している前記つなぎ部９に把手孔予定部６が連続していることから、把手孔１０に差し入れた手先によって外方側に把手孔予定部６が折り返され、つなぎ部９の曲がりに連れてこのつなぎ部９の上下となる把手孔１０の辺部１１も捲れるように曲がるようになる。
【００１２】
また、この把手孔予定部６の周囲には、図示されているように上記ヒートシール部４における合成樹脂フィルムを貼り合せしない未シール部１２が設けられていて、この未シール部１２は切り込み８とつなぎ部９とに連続しているとともに、把手孔予定部６の領域にも及ぶようにして設けられている。
このように把手５は把手孔予定部６の周囲に未シール部１２を備えたものとして形成されていることから、上述したように手先によって把手孔予定部６を押し開いたときには、つなぎ部９を除く部分（切り込み８であった部分）を未シール部１２とした状態で把手孔１０が開口され、また、つなぎ部９にも未シール部１２が連続していることから、開口した把手孔１０の内縁が全てが未シール部１２となる。
【００１３】
上記未シール部１２の合成樹脂フィルムそれぞれは貼り合わされていないことから、未シール状態の合成樹脂フィルムが重ね合されていてもその剛性が低く、同様につなぎ部９の未シール部１２も剛性が高いものとはなっていない。
一方、把手孔１０に差し入れた手先で手掛けして容器を持ったときには、把手孔１０の辺部１１に沿った方向に加わる張力Ａに十分に抗する応力を生じさせながらも、把手孔１０の手掛け側の辺部１１が、差し入れる手先に触れたり上述のつなぎ部９の曲がりに連れることで、その辺部１１の断面方向で反るように丸みを持った状態で曲がり易くなる（図３参照）。
このように手掛けしたときに、把手孔１０の手掛け側の辺部１１が上記張力Ａに抗しながら反るような曲がり（手先を差し出した方向への曲がり）が生じるため、手掛けしている手先に、辺部１１がある程度の幅を持った状態で当たるようになり、また、つなぎ部９にあっても同様に張力Ａに抗しながら丸みを持った状態で曲がるようになり、重い容器１をこの把手５で持ったとしても、手掛けする手先に前記辺部１１が深く食い込まず、強い痛みを生じさせることがない。
【００１４】
さらに実施例の上記把手５は、把手孔１０の周囲の未シール部１２の領域内で、把手孔１０の上辺部となる切り込み８の上辺部１３に沿って第二の切り込み１４が位置しているものであり、この第二の切り込み１４の長さが切り込み８の上辺部１３の長さ以上に設けられている。
把手５において切り込み８の上辺部１３よりなる把手孔１０の上辺部は、手掛けした手先の一番上の指が当たる部分であって、この把手孔１０の上辺部となる切り込み８の上辺部１３に沿ってその上辺部１３より長い第二の切り込み１４が設けられていることから、この第二の切り込み１４と切り込み８の上辺部１３との間に、把手孔１０の上辺部の長さの帯状部１５が形成され、この帯状部１５が長さ方向を軸とした回転となるように変形し易いものである。
この帯状部１５を上辺部側に備えている把手孔１０に手先を差し入れたときには、その手先が帯状部１５に接触することでその帯状部１５が容易に回転し、また、把手孔１０に手掛けして帯状部１５に張力Ａが加わることでもこの帯状部１５が回転し、図４に示すように手先の最上位の指、例えば人指し指に帯状部１５の面が乗るように約９０度位回転して、指に帯状部１５が深く食い込まない。このように手掛けしたときには把手孔１０の上辺部は前記帯状部１５の面で指を受けるようになって痛みを生じさせず、よって、この第二の切り込み１４を設けておくことで、把手５に掛けた手先に痛みを生じさせることなく容器１を取り扱えるようになる。
【００１５】
把手の大きさや切り込みからの未シール部の広がりなどについて良好な値を得るために把手の大きさや未シール部の広がりなどをいろいろ変更し他各種の容器を作成した、その内、良好とされた把手の大きさや未シール部の広がりなどの値についてつぎに示す。なお、収容物は水であり、２リットルである。容器形態は、幅２２０ｍｍ、高さ２８０ｍｍとした。容器底の合成樹脂フィルムの折込を６５ｍｍとした。
合成樹脂フィルム自体の層構成は、ポリエチレンテレフタレート（ＰＥＴ）１２μｍ／ナイロン（Ｎｙ）２５μｍ／直鎖状低密度ポリエチレン（ＬＬＤＰＥ）１５０μｍである。
図１に示すように手掛け側とは反対側の切り込み８から未シール部１２の外縁位置までの寸法（ａ）、切り込み８の上辺部１３から第二の切り込み１４までの寸法（ｂ）、第二の切り込み１４から未シール部１２の外縁までの寸法（ｃ）、切り込み８の手掛け側の辺部（切り込み８）から未シール部１２の外縁までの寸法（ｄ）、把手孔予定部６の高さ方向の長さ寸法（ｅ）、第二の切り込み１４の容器幅方向における長さ寸法（ｆ）について良好な値の一例は以下の通りである。
（ａ）３ｍｍ
（ｂ）３ｍｍ
（ｃ）５ｍｍ
（ｄ）５ｍｍ
（ｅ）７０ｍｍ
（ｆ）１８ｍｍ
【００１６】
上述したように容器１において上記各部位での寸法を上記値とすることが良好であり、また（ｂ）はフィルムの切れ難さと伸び難さとを考慮すると、３ｍｍ以上であることが好ましい。
【００１７】
上記実施の形態では、把手孔予定部６の周囲に未シール部１２が設けられるとともに、把手孔１０の上辺部側の未シール部１２の領域中に第二の切り込み１４が位置しているものとしているが、本発明はこの実施の形態に限定されるものではない。
図５は他の例（実施例１）を示している。この例では上記第二の切り込みを設けられていないものであるが、他の構成は上記実施例１と同じである。この図５で示す例でも、把手孔予定部８を押し開いて開口する把手孔１０に手先を差し入れて手掛けする。このとき把手孔１０に差し入れた手先の最上位の指には、把手孔１０の上辺部の未シール部１２が当たることになるが、この把手孔１０の上辺部の未シール部１２の合成樹脂フィルムそれぞれは、周方向に沿う張力Ａに抗する状態で手先差し出し方向に捲れるように反る。そのため、やはり或る程度の幅を持って手先の最上位の指を受けるようになり、最上位の指に深く食い込むことがない。
【００１８】
図６は更に他の例（実施例２）を示していて、未シール部１２が設けられていない点以外は良好な形態とした上記容器の把手（実施例３）と同じである。この図６に示す例において、把手孔予定部６を押し開いて把手孔に手先を差し入れた場合、手先の最上位の指には帯状部１５が回転した状態で乗るようになって深く食い込むことがない。
また、把手孔の手掛け側にあっては、つなぎ部９とその上下の辺部１１も上述のように周方向に沿った張力Ａに抗する状態であり、把手孔予定部６の折り返しによるつなぎ部９の曲がり形状およびそのつなぎ部９に連れて曲がる上下の辺部１１の形状も反った状態となる。そのため、手掛け側が或る程度の幅を持って手先に当たるようになり、深く食い込むことがない。
【００１９】
図７は更に他の例（実施例４）を示している。この図７の実施の例は各条件を良好とした上記容器の把手（実施例３）に比べてつなぎ部９の位置が把手孔の手掛け側となる部分ではなく、この手掛け側となる部分とは反対の収容部側に位置しているものである。この実施の例では、つなぎ部９が反るように曲がっても手掛け側の辺部１１が反るように曲がることはないが、その手掛け側の辺部１１は未シール部１２であるために剛性は低くなっているものであり、手先を把手孔１０に差し入れたときにその手先が触れるなどすることで、その手掛け側の辺部１１の合成樹脂フィルムそれぞれが手先差し出し側に曲がるようになる。さらにこの手掛け側の辺部１１の合成樹脂フィルムそれぞれにも周方向に沿った張力Ａに抗する状態となるため、合成樹脂フィルムそれぞれの前記曲がりは鋭角な曲がりとはならず、ある程度の幅を持った反りとして形成されるようになる。よって、この場合も手先に手掛け側の辺部１１が深く食い込むように係ることがなく、強い痛みを手先に生じさせずに容器１を取り扱えるものとなる。
なお、この例においても帯状部１５が存在するため、手先の最上位に位置する指に把手孔の上辺部が深く食い込むことはなく面として指に乗る状態となる。さらに、帯状部１５の回転に連れて手掛け側の辺部１１の合成樹脂フィルムそれぞれに曲がりが生じさせ易くなり、上述した反りが形成できるようになるものである。
【００２０】
上記各実施の例では、把手孔１０が切り込み８とつなぎ部９とで囲まれた把手孔予定部６で閉じられた形態としているが、本発明はこれに限定されるものではなく、ヒートシール部４を打ち抜いて予め開口した状態でこの把手孔１０を得るようにしてもよい。そして、この把手孔の周囲に、把手孔内縁に達する未シール部を設ける。このようにすることで上述した未シール部による作用が、予め打ち抜き形成して開口している把手孔からなる把手５においても得られる。
さらに、予め打ち抜き形成して開口している把手孔の上辺部に沿って、この上辺部の長さ以上の切り込み（上記実施の形態における第二の切り込み）を入れて、帯状部を備えた把手を得るようにしてもよい。この予め開口した把手孔の上辺部に沿って切り込みを備えた把手にあっても、帯状部の作用は、この帯状部を備えた上述の実施の形態と同様のものとなる。さらにこの形態において把手孔の周囲を未シール部とし、その未シール部の領域に前記切り込みが位置する形態とすることも可能である。
【００２１】
つぎに各種形態の把手を有する容器を作成してその対比を行なった。図５に示す形態を実施例１、図６に示す形態を実施例２、図１に示す形態を実施例３、図７に示す形態を実施例４とするとともに、容器１の拡張されたヒートシール部に上記切り込み８のみを入れて切り込み８とつなぎ部９とで囲まれた把手孔予定部６からなる把手を作成してこれを比較例１とし、さらには、ヒートシール部を打ち抜いて開口した把手孔のみからなる把手を作成しこれを比較例２として、それぞれの容器の把手を手掛けしたときの評価を行なった。その結果を票１に示す。
なお、容器の構成は上述したように、収容物が水であり、２リットルである。側辺ヒートシール部の一般部分は、幅２２０ｍｍ、高さ２８０ｍｍとした。容器底の合成樹脂フィルムの折込を６５ｍｍとした。また、上記（ａ）（ｂ）（ｃ）（ｄ）（ｅ）（ｆ）に該当する個所も、良好な値として構成した上述の寸法と同じである。
【００２２】
【表１】
2004359258.tif 000003
【００２３】
表１に示すように、把手に手先を掛けたときに強い痛みを生じさせることなく容器を取り扱えるようにする上で、把手孔の周囲となるように未シール部を設けることが有効であり、また、把手孔の上辺部となる切り込みの上辺部に沿って、該切り込みの上辺部の長さ以上の第二の切り込みを設けることが有効であることが判明した。
【００２４】
なお、上記容器は注出口栓を有するものとして示したが、本発明はこれらの例に限定されるものではなく、注出口栓を備えずに容器上部の一部を切断により開封して内容物を注出する容器であってもよい。
【００２５】
【発明の効果】
以上説明した本発明によれば、把手孔に差し入れた手先で手掛けしたときに、手掛けしたその手先に把手孔の辺部が強く食い込むことが防止されて、痛みを生じさせることがない。よって、合成樹脂フィルムの貼り合せで成形された容器であって内容量が大きく重いものであっても、把手を利用して容器を取り扱えるようになる。
また、把手孔を打ち抜き形成しないものとすれば、容器製造工程で生じ易いごみを削減する上で有効であるなど、実用性に優れた効果を奏するものである。
【図面の簡単な説明】
【図１】本発明に係る容器の把手の一例を示す説明図である。
【図２】一例における把手孔に手掛けされたときの状態を示す説明図である。
【図３】一例における手掛けされた把手孔の手掛け側の辺部を図２のＸ−Ｘ線に沿う断面で示す説明図である。
【図４】一例における手掛けされた把手孔の上辺部を図２のＹ−Ｙ線に沿う断面で示す説明図である。
【図５】第二の実施例を示す説明図である。
【図６】第三の実施例を示す説明図である。
【図７】第四の実施例を示す説明図である
【符号の説明】
１…容器
２…注出口栓
４…ヒートシール部
５…把手
６…把手孔予定部
８…切り込み
９…つなぎ部
１０…把手孔
１１…辺部
１２…未シール部
１３…上辺部
１４…第二の切り込み
１５…帯状部
【図１】
2004359258.tif 000004
【図２】
2004359258.tif 000005
【図３】
2004359258.tif 000006
【図４】
2004359258.tif 000007
【図５】
2004359258.tif 000008
【図６】
2004359258.tif 000009
【図７】
2004359258.tif 000010